(57)【要約】  本願の実施例はＮＲシステムにおけるページング又はブロードキャストメッセージの送信を実現することのできる無線通信方法及び装置を提供する。該方法は、ネットワーク装置が特定の周波数点において端末装置へページングを行い又はブロードキャストメッセージを送信するために占用する必要があるＮ個の第１時間位置を確定し、前記Ｎが１以上の整数であることと、前記ネットワーク装置が前記特定の周波数点において、前記Ｎ個の第１時間位置で前記端末装置へページングを行い又はブロードキャストメッセージを送信することと、を含む。
2021509796.tif 000002
【特許請求の範囲】
【請求項１】
無線通信方法であって、
ネットワーク装置が、特定の周波数点において端末装置へページングを行い又はブロードキャストメッセージを送信するために占用する必要があるＮ個の第１時間位置を確定し、前記Ｎが１以上の整数であることと、
前記ネットワーク装置が、前記特定の周波数点において、前記Ｎ個の第１時間位置で前記端末装置へページングを行い又はブロードキャストメッセージを送信することと、を含むことを特徴とする、前記無線通信方法。
【請求項２】
前記ネットワーク装置が前記特定の周波数点において、前記Ｎ個の第１時間位置で前記端末装置へページングを行い又はブロードキャストメッセージを送信することは、
異なる第１時間位置で、異なる送信ビームを用いてページングを行い又はブロードキャストメッセージを送信することを含むことを特徴とする
請求項１に記載の方法。
【請求項３】
前記第１時間位置がページングを行うためのものである場合、前記Ｎ個の第１時間位置のうちの各第１時間位置で、それぞれ前記端末装置へページングを行うためのＰＤＣＣＨ及び／又はＰＤＳＣＨを送信することを特徴とする
請求項１又は２に記載の方法。
【請求項４】
前記Ｎ個の第１時間位置が１回の完全なビーム走査に対応することを特徴とする
請求項１〜３のいずれか１項に記載の方法。
【請求項５】
前記ネットワーク装置が特定の周波数点において端末装置へページングを行い又はブロードキャストメッセージを送信するために占用する必要があるＮ個の第１時間位置を確定することは、
前記第１時間位置がページングを行うためのものである場合、前記端末装置の識別情報に基づき、前記Ｎ個の第１時間位置を確定することを含むことを特徴とする
請求項１〜４のいずれか１項に記載の方法。
【請求項６】
前記Ｎ個の第１時間位置が時間的に連続したものであることを特徴とする
請求項１〜５のいずれか１項に記載の方法。
【請求項７】
前記Ｎ個の第１時間位置がＱ個のスロットを占用しており、前記Ｎ個の第１時間位置の開始点が前記Ｑ個のスロットのうちの１番目のスロットのＭ番目のシンボルであり、前記Ｑが１以上の整数であり、前記Ｍが１以上の整数であることを特徴とする
請求項６に記載の方法。
【請求項８】
前記Ｎ個の第１時間位置のうちの少なくとも２つの隣接する第１時間位置が連続しないことを特徴とする
請求項１〜６のいずれか１項に記載の方法。
【請求項９】
前記Ｎ個の第１時間位置がＲ個のスロットを占用しており、各スロットがＴ個の第１時間位置を含み、前記Ｒが１以上の整数であり、前記Ｔが１以上の整数であることを特徴とする
請求項８に記載の方法。
【請求項１０】
前記各スロットにおいて、前記Ｔ個の第１時間位置の開始点が前記各スロットのＳ番目のシンボルであり、前記Ｓが１以上の整数であることを特徴とする
請求項９に記載の方法。
【請求項１１】
前記各スロットにおいて、前記Ｔ個の第１時間位置の終了点が前記各スロットの後ろからＰ番目のシンボルであり、前記Ｐが１以上の整数であることを特徴とする
請求項１０に記載の方法。
【請求項１２】
前記Ｔが１より大きい場合、前記Ｔ個の第１時間位置のいずれか２つの第１時間位置が連続しないことを特徴とする
請求項９〜１１のいずれか１項に記載の方法。
【請求項１３】
前記Ｔが１より大きい場合、前記Ｔ個の第１時間位置のうちの少なくとも２つの第１時間位置が連続したものであることを特徴とする
請求項９〜１１のいずれか１項に記載の方法。
【請求項１４】
同じスロットにおいて、前記少なくとも２つの連続した第１時間位置と隣接する前記少なくとも２つの連続した第１時間位置とが少なくとも１つのシンボルの間隔を置いていることを特徴とする
請求項１３に記載の方法。
【請求項１５】
前記Ｎ個の第１時間位置のうちのＫ個の第１時間位置と同期信号ブロックの第２時間位置とは時間的に少なくとも一部が重なっており、前記Ｋが１以上の整数であり、前記第２時間位置が前記同期信号ブロックの実際の送信時間位置又は候補時間位置であることを特徴とする
請求項１〜１４のいずれか１項に記載の方法。
【請求項１６】
前記Ｋ個の第１時間位置のうちの単独の第１時間位置は、多くとも１つの前記第２時間位置と時間的に少なくとも一部が重なっていることを特徴とする
請求項１５に記載の方法。
【請求項１７】
１つの前記第２時間位置の占用するシンボル数が１つの前記第１時間位置の占用するシンボル数のＬ倍である場合、前記Ｎ個の第１時間位置の占用するシンボルが全部前記第２時間位置の占用するシンボルに属し、前記Ｌが１以上の整数であることを特徴とする
請求項１５又は１６に記載の方法。
【請求項１８】
前記方法は、更に、
同じパラメータで設定されたビームを用いて、それぞれ時間的に重なっている前記第１時間位置及び前記第２時間位置で前記端末装置へページングを行い又はブロードキャストメッセージを送信し、前記同期信号ブロックを送信することを含むことを特徴とする
請求項１５〜１７のいずれか１項に記載の方法。
【請求項１９】
前記ネットワーク装置が特定の周波数点において端末装置へページングを行い又はブロードキャストメッセージを送信するために占用する必要があるＮ個の第１時間位置を確定することは、
第１パターンに基づき、前記Ｎ個の第１時間位置を確定することを含み、前記第１パターンが第２パターンと同じであり、前記第２パターンが特定の周波数点における同期信号ブロックの候補時間位置又は実際の送信時間位置を示すことに用いられることを特徴とする
請求項１〜１８のいずれか１項に記載の方法。
【請求項２０】
第１パターンに基づき、前記Ｎ個の第１時間位置を確定することは、
前記第１パターンで示される信号送信のための時間位置の数、信号送信のための時間位置の占用する時間長及び信号送信のための時間位置の並び関係のうちの少なくとも１つに基づき、前記Ｎ個の第１時間位置を確定することを含むことを特徴とする
請求項１９に記載の方法。
【請求項２１】
前記第１時間位置の時間長が前記第１パターンで示される時間位置の占用する時間長以下であることを特徴とする
請求項２０に記載の方法。
【請求項２２】
前記Ｎ個の第１時間位置の隣接する２つの第１時間位置間の間隔が前記第１パターンで示される隣接する２つの時間位置間の間隔に等しいことを特徴とする
請求項２０に記載の方法。
【請求項２３】
前記Ｎが前記第１パターンで示される時間位置の数に等しいことを特徴とする
請求項２０に記載の方法。
【請求項２４】
前記ネットワーク装置が特定の周波数点においてページングを行い又はブロードキャストメッセージを送信するためのＮ個の第１時間位置を確定することは、
同期信号ブロックの候補時間位置又は実際の送信時間位置に基づき、前記Ｎ個の第１時間位置を確定することを含むことを特徴とする
請求項１〜１８のいずれか１項に記載の方法。
【請求項２５】
同期信号ブロックの候補時間位置又は実際の送信時間位置に基づき、前記Ｎ個の第１時間位置を確定することは、
予め合意されたＮ個の第２時間位置と前記Ｎ個の第１時間位置との関係に基づき、前記Ｎ個の第１時間位置を確定することを含み、Ｎ個の前記第２時間位置が前記同期信号ブロックの候補時間位置又は実際の送信時間位置であることを特徴とする
請求項２４に記載の方法。
【請求項２６】
前記Ｎは、前記特定の周波数点において１回の完全なビーム走査において前記ネットワーク装置が前記端末装置へ送信した同期信号ブロックの第２時間位置の数に等しく、且つ、前記Ｎ個の第１時間位置でページングを行い又はブロードキャストメッセージを送信する際に用いたビームは、同じ数の第２時間位置で同期信号ブロックを送信するビームパラメータの設定に一致することを特徴とする
請求項１５〜２５のいずれか１項に記載の方法。
【請求項２７】
前記第１時間位置がページングを行うためのものである場合、前記方法は、更に、
前記同期信号ブロックの対応するＲＭＳＩ又はＯＳＩ又はオンデマンドシステム情報、又はＲＲＣ専用シグナリングで前記第１時間位置を示すことを含むことを特徴とする
請求項１５〜２６のいずれか１項に記載の方法。
【請求項２８】
前記第１時間位置がブロードキャストメッセージを送信するためのものである場合、前記方法は、更に、
前記同期信号ブロックの対応するＲＭＳＩ又はＯＳＩ又はオンデマンドシステム情報で前記第１時間位置を示すことを含むことを特徴とする
請求項１５〜２６のいずれか１項に記載の方法。
【請求項２９】
無線通信方法であって、
端末装置が、ネットワーク装置が特定の周波数点において前記端末装置へページングを行い又はブロードキャストメッセージを送信する際に占用するＮ個の第１時間位置を確定し、前記Ｎが１以上の整数であることと、
前記端末装置が、前記特定の周波数点において、前記Ｎ個の第１時間位置で前記ネットワーク装置により行うページング又は送信するブロードキャストメッセージを監視することと、を含むことを特徴とする、前記無線通信方法。
【請求項３０】
前記第１時間位置がページングを行うためのものである場合、前記Ｎ個の第１時間位置のうちの各第１時間位置で、それぞれ前記端末装置へページングを行うためのＰＤＣＣＨ及び／又はＰＤＳＣＨを送信することを特徴とする
請求項２９に記載の方法。
【請求項３１】
端末装置が、ネットワーク装置が特定の周波数点において前記端末装置へページングを行い又はブロードキャストメッセージを送信する際に占用するＮ個の第１時間位置を確定することは、
前記第１時間位置がページングを行うためのものである場合、前記端末装置の識別情報に基づき、前記Ｎ個の第１時間位置を確定することを含むことを特徴とする
請求項２９又は３０に記載の方法。
【請求項３２】
前記Ｎ個の第１時間位置が時間的に連続したものであることを特徴とする
請求項２９〜３１のいずれか１項に記載の方法。
【請求項３３】
前記Ｎ個の第１時間位置がＱ個のスロットを占用しており、前記Ｎ個の第１時間位置の開始点が前記Ｑ個のスロットのうちの１番目のスロットのＭ番目のシンボルであり、前記Ｑが１以上の整数であり、前記Ｍが１以上の整数であることを特徴とする
請求項３２に記載の方法。
【請求項３４】
前記Ｎ個の第１時間位置のうちの少なくとも２つの隣接する第１時間位置が連続しないことを特徴とする
請求項２９〜３２のいずれか１項に記載の方法。
【請求項３５】
前記Ｎ個の第１時間位置がＲ個のスロットを占用しており、各スロットがＴ個の第１時間位置を含み、前記Ｒが１以上の整数であり、前記Ｔが１以上の整数であることを特徴とする
請求項３４に記載の方法。
【請求項３６】
前記各スロットにおいて、前記Ｔ個の第１時間位置の開始点が前記各スロットのＳ番目のシンボルであり、前記Ｓが１以上の整数であることを特徴とする
請求項３５に記載の方法。
【請求項３７】
前記各スロットにおいて、前記Ｔ個の第１時間位置の終了点が前記各スロットの後ろからＰ番目のシンボルであり、前記Ｐが１以上の整数であることを特徴とする
請求項３６に記載の方法。
【請求項３８】
前記Ｔが１より大きい場合、前記Ｔ個の第１時間位置のいずれか２つの第１時間位置が連続しないことを特徴とする
請求項３５〜３７のいずれか１項に記載の方法。
【請求項３９】
前記Ｔが１より大きい場合、前記Ｔ個の第１時間位置のうちの少なくとも２つの第１時間位置が連続したものであることを特徴とする
請求項３５〜３７のいずれか１項に記載の方法。
【請求項４０】
同じスロットにおいて、前記少なくとも２つの連続した第１時間位置と隣接する前記少なくとも２つの連続した第１時間位置とが少なくとも１つのシンボルの間隔を置いていることを特徴とする
請求項３９に記載の方法。
【請求項４１】
前記Ｎ個の第１時間位置のうちのＫ個の第１時間位置と同期信号ブロックの第２時間位置とは時間的に少なくとも一部が重なっており、前記Ｋが１以上の整数であり、前記第２時間位置が前記同期信号ブロックの実際の送信時間位置又は候補時間位置であることを特徴とする
請求項２９〜４０のいずれか１項に記載の方法。
【請求項４２】
前記Ｋ個の第１時間位置のうちの単独の第１時間位置は、多くとも１つの前記第２時間位置と時間的に少なくとも一部が重なっていることを特徴とする
請求項４１に記載の方法。
【請求項４３】
１つの前記第２時間位置の占用するシンボル数が１つの前記第１時間位置の占用するシンボル数のＬ倍である場合、前記Ｎ個の第１時間位置の占用するシンボルが全部前記第２時間位置の占用するシンボルに属し、前記Ｌが１以上の整数であることを特徴とする
請求項４１又は４２に記載の方法。
【請求項４４】
前記端末装置が、ネットワーク装置が特定の周波数点において前記端末装置へページングを行い又はブロードキャストメッセージを送信する際に占用するＮ個の第１時間位置を確定することは、
第１パターンに基づき、前記Ｎ個の第１時間位置を確定することを含み、前記第１パターンが第２パターンと同じであり、前記第２パターンが特定の周波数点における同期信号ブロックの候補時間位置又は実際の送信時間位置を示すことに用いられることを特徴とする
請求項２９〜４３のいずれか１項に記載の方法。
【請求項４５】
第１パターンに基づき、前記Ｎ個の第１時間位置を確定することは、
前記第１パターンで示される信号送信のための時間位置の数、信号送信のための時間位置の占用する時間長及び信号送信のための時間位置の並び関係のうちの少なくとも１つに基づき、前記Ｎ個の第１時間位置を確定することを含むことを特徴とする
請求項４４に記載の方法。
【請求項４６】
前記第１時間位置の時間長が前記第１パターンで示される時間位置の占用する時間長以下であることを特徴とする
請求項４５に記載の方法。
【請求項４７】
前記Ｎ個の第１時間位置の隣接する２つの第１時間位置間の間隔が前記第１パターンで示される隣接する２つの時間位置間の間隔に等しいことを特徴とする
請求項４５に記載の方法。
【請求項４８】
前記Ｎが前記第１パターンで示される時間位置の数に等しいことを特徴とする
請求項４５に記載の方法。
【請求項４９】
前記ネットワーク装置が特定の周波数点においてページングを行い又はブロードキャストメッセージを送信するためのＮ個の第１時間位置を確定することは、
同期信号ブロックの候補時間位置又は実際の送信時間位置に基づき、前記Ｎ個の第１時間位置を確定することを含むことを特徴とする
請求項２９〜４３のいずれか１項に記載の方法。
【請求項５０】
同期信号ブロックの候補時間位置又は実際の送信時間位置に基づき、前記Ｎ個の第１時間位置を確定することは、
予め合意されたＮ個の第２時間位置と前記Ｎ個の第１時間位置との関係に基づき、前記Ｎ個の第１時間位置を確定することを含み、Ｎ個の前記第２時間位置が前記同期信号ブロックの候補時間位置又は実際の送信時間位置であることを特徴とする
請求項４９に記載の方法。
【請求項５１】
前記第１時間位置がページングを行うためのものである場合、前記方法は、更に、
前記同期信号ブロックの対応するＲＭＳＩ又はＯＳＩ又はオンデマンドシステム情報、又はＲＲＣ専用シグナリングの指示に基づき、前記第１時間位置を確定することを含むことを特徴とする
請求項４１〜５０のいずれか１項に記載の方法。
【請求項５２】
前記第１時間位置がブロードキャストメッセージを送信するためのものである場合、前記方法は、更に、
前記同期信号ブロックの対応するＲＭＳＩ又はＯＳＩ又はオンデマンドシステム情報の指示に基づき、前記第１時間位置を確定することを含むことを特徴とする
請求項４１〜５１のいずれか１項に記載の方法。
【請求項５３】
ネットワーク装置であって、
特定の周波数点において端末装置へページングを行い又はブロードキャストメッセージを送信するために占用する必要があるＮ個の第１時間位置を確定するように構成され、前記Ｎが１以上の整数である処理ユニットと、
前記特定の周波数点において、前記Ｎ個の第１時間位置で前記端末装置へページングを行い又はブロードキャストメッセージを送信するように構成される通信ユニットと、を備えることを特徴とする、前記ネットワーク装置。
【請求項５４】
前記通信ユニットは、更に、
異なる第１時間位置で、異なる送信ビームを用いてページングを行い又はブロードキャストメッセージを送信するように構成されることを特徴とする
請求項５３に記載の装置。
【請求項５５】
前記第１時間位置がページングを行うためのものである場合、前記Ｎ個の第１時間位置のうちの各第１時間位置で、それぞれ前記端末装置へページングを行うためのＰＤＣＣＨ及び／又はＰＤＳＣＨを送信することを特徴とする
請求項５３又は５４に記載の装置。
【請求項５６】
前記Ｎ個の第１時間位置が１回の完全なビーム走査に対応することを特徴とする
請求項５３〜５５のいずれか１項に記載の装置。
【請求項５７】
前記処理ユニットは、更に、
前記第１時間位置がページングを行うためのものである場合、前記端末装置の識別情報に基づき、前記Ｎ個の第１時間位置を確定するように構成されることを特徴とする
請求項５３〜５６のいずれか１項に記載の装置。
【請求項５８】
前記Ｎ個の第１時間位置が時間的に連続したものであることを特徴とする
請求項５３〜５７のいずれか１項に記載の装置。
【請求項５９】
前記Ｎ個の第１時間位置がＱ個のスロットを占用しており、前記Ｎ個の第１時間位置の開始点が前記Ｑ個のスロットのうちの１番目のスロットのＭ番目のシンボルであり、前記Ｑが１以上の整数であり、前記Ｍが１以上の整数であることを特徴とする
請求項５８に記載の装置。
【請求項６０】
前記Ｎ個の第１時間位置のうちの少なくとも２つの隣接する第１時間位置が連続しないことを特徴とする
請求項５３〜５８のいずれか１項に記載の装置。
【請求項６１】
前記Ｎ個の第１時間位置がＲ個のスロットを占用しており、各スロットがＴ個の第１時間位置を含み、前記Ｒが１以上の整数であり、前記Ｔが１以上の整数であることを特徴とする
請求項６０に記載の装置。
【請求項６２】
前記各スロットにおいて、前記Ｔ個の第１時間位置の開始点が前記各スロットのＳ番目のシンボルであり、前記Ｓが１以上の整数であることを特徴とする
請求項６１に記載の装置。
【請求項６３】
前記各スロットにおいて、前記Ｔ個の第１時間位置の終了点が前記各スロットの後ろからＰ番目のシンボルであり、前記Ｐが１以上の整数であることを特徴とする
請求項６２に記載の装置。
【請求項６４】
前記Ｔが１より大きい場合、前記Ｔ個の第１時間位置のいずれか２つの第１時間位置が連続しないことを特徴とする
請求項６１〜６３のいずれか１項に記載の装置。
【請求項６５】
前記Ｔが１より大きい場合、前記Ｔ個の第１時間位置のうちの少なくとも２つの第１時間位置が連続したものであることを特徴とする
請求項６１〜６３のいずれか１項に記載の装置。
【請求項６６】
同じスロットにおいて、前記少なくとも２つの連続した第１時間位置と隣接する前記少なくとも２つの連続した第１時間位置とが少なくとも１つのシンボルの間隔を置いていることを特徴とする
請求項６５に記載の装置。
【請求項６７】
前記Ｎ個の第１時間位置のうちのＫ個の第１時間位置と同期信号ブロックの第２時間位置とは時間的に少なくとも一部が重なっており、前記Ｋが１以上の整数であり、前記第２時間位置が前記同期信号ブロックの実際の送信時間位置又は候補時間位置であることを特徴とする
請求項５３〜６６のいずれか１項に記載の装置。
【請求項６８】
前記Ｋ個の第１時間位置のうちの単独の第１時間位置は、多くとも１つの前記第２時間位置と時間的に少なくとも一部が重なっていることを特徴とする
請求項６７に記載の装置。
【請求項６９】
１つの前記第２時間位置の占用するシンボル数が１つの前記第１時間位置の占用するシンボル数のＬ倍である場合、前記Ｎ個の第１時間位置の占用するシンボルが全部前記第２時間位置の占用するシンボルに属し、前記Ｌが１以上の整数であることを特徴とする
請求項６７又は６８に記載の装置。
【請求項７０】
前記通信ユニットは、更に、
同じパラメータで設定されたビームを用いて、それぞれ時間的に重なっている前記第１時間位置及び前記第２時間位置で前記端末装置へページングを行い又はブロードキャストメッセージを送信し、前記同期信号ブロックを送信するように構成されることを特徴とする
請求項６７〜６９のいずれか１項に記載の装置。
【請求項７１】
前記処理ユニットは、更に、
第１パターンに基づき、前記Ｎ個の第１時間位置を確定するように構成され、前記第１パターンが第２パターンと同じであり、前記第２パターンが特定の周波数点における同期信号ブロックの候補時間位置又は実際の送信時間位置を示すことに用いられることを特徴とする
請求項５３〜７０のいずれか１項に記載の装置。
【請求項７２】
前記処理ユニットは、更に、
前記第１パターンで示される信号送信のための時間位置の数、信号送信のための時間位置の占用する時間長及び信号送信のための時間位置の並び関係のうちの少なくとも１つに基づき、前記Ｎ個の第１時間位置を確定するように構成されることを特徴とする
請求項７１に記載の装置。
【請求項７３】
前記第１時間位置の時間長が前記第１パターンで示される時間位置の占用する時間長以下であることを特徴とする
請求項７２に記載の装置。
【請求項７４】
前記Ｎ個の第１時間位置の隣接する２つの第１時間位置間の間隔が前記第１パターンで示される隣接する２つの時間位置間の間隔に等しいことを特徴とする
請求項７２に記載の装置。
【請求項７５】
前記Ｎが前記第１パターンで示される時間位置の数に等しいことを特徴とする
請求項７２に記載の装置。
【請求項７６】
前記ネットワーク装置が特定の周波数点においてページングを行い又はブロードキャストメッセージを送信するためのＮ個の第１時間位置を確定することは、
同期信号ブロックの候補時間位置又は実際の送信時間位置に基づき、前記Ｎ個の第１時間位置を確定することを含むことを特徴とする
請求項５３〜７０のいずれか１項に記載の装置。
【請求項７７】
前記処理ユニットは、更に、
予め合意されたＮ個の第２時間位置と前記Ｎ個の第１時間位置との関係に基づき、前記Ｎ個の第１時間位置を確定するように構成され、Ｎ個の前記第２時間位置が前記同期信号ブロックの候補時間位置又は実際の送信時間位置であることを特徴とする
請求項７６に記載の装置。
【請求項７８】
前記Ｎは、前記特定の周波数点において１回の完全なビーム走査において前記ネットワーク装置が前記端末装置へ送信した同期信号ブロックの第２時間位置の数に等しく、且つ、前記Ｎ個の第１時間位置でページングを行い又はブロードキャストメッセージを送信する際に用いたビームは、同じ数の第２時間位置で同期信号ブロックを送信するビームパラメータの設定に一致することを特徴とする
請求項６７〜７７のいずれか１項に記載の装置。
【請求項７９】
前記通信ユニットは、更に、
前記第１時間位置がページングを行うためのものである場合、前記同期信号ブロックの対応するＲＭＳＩ又はＯＳＩ又はオンデマンドシステム情報、又はＲＲＣ専用シグナリングで前記第１時間位置を示すように構成されることを特徴とする
請求項６７〜７８のいずれか１項に記載の装置。
【請求項８０】
前記通信ユニットは、更に、
前記第１時間位置がブロードキャストメッセージを送信するためのものである場合、前記同期信号ブロックの対応するＲＭＳＩ又はＯＳＩ又はオンデマンドシステム情報で前記第１時間位置を示すように構成されることを特徴とする
請求項６７〜７８のいずれか１項に記載の装置。
【請求項８１】
端末装置であって、
ネットワーク装置が特定の周波数点において前記端末装置へページングを行い又はブロードキャストメッセージを送信する際に占用するＮ個の第１時間位置を確定するように構成され、前記Ｎが１以上の整数である処理ユニットと、
前記特定の周波数点において、前記Ｎ個の第１時間位置で前記ネットワーク装置により行うページング又は送信するブロードキャストメッセージを監視するように構成される通信ユニットと、を備えることを特徴とする、前記端末装置。
【請求項８２】
前記第１時間位置がページングを行うためのものである場合、前記Ｎ個の第１時間位置のうちの各第１時間位置で、それぞれ前記端末装置へページングを行うためのＰＤＣＣＨ及び／又はＰＤＳＣＨを送信することを特徴とする
請求項８１に記載の装置。
【請求項８３】
前記処理ユニットは、更に、
前記第１時間位置がページングを行うためのものである場合、前記端末装置の識別情報に基づき、前記Ｎ個の第１時間位置を確定するように構成されることを特徴とする
請求項８１又は８２に記載の装置。
【請求項８４】
前記Ｎ個の第１時間位置が時間的に連続したものであることを特徴とする
請求項８１〜８３のいずれか１項に記載の装置。
【請求項８５】
前記Ｎ個の第１時間位置がＱ個のスロットを占用しており、前記Ｎ個の第１時間位置の開始点が前記Ｑ個のスロットのうちの１番目のスロットのＭ番目のシンボルであり、前記Ｑが１以上の整数であり、前記Ｍが１以上の整数であることを特徴とする
請求項８４に記載の装置。
【請求項８６】
前記Ｎ個の第１時間位置のうちの少なくとも２つの隣接する第１時間位置が連続しないことを特徴とする
請求項８１〜８４のいずれか１項に記載の装置。
【請求項８７】
前記Ｎ個の第１時間位置がＲ個のスロットを占用しており、各スロットがＴ個の第１時間位置を含み、前記Ｒが１以上の整数であり、前記Ｔが１以上の整数であることを特徴とする
請求項８６に記載の装置。
【請求項８８】
前記各スロットにおいて、前記Ｔ個の第１時間位置の開始点が前記各スロットのＳ番目のシンボルであり、前記Ｓが１以上の整数であることを特徴とする
請求項８７に記載の装置。
【請求項８９】
前記各スロットにおいて、前記Ｔ個の第１時間位置の終了点が前記各スロットの後ろからＰ番目のシンボルであり、前記Ｐが１以上の整数であることを特徴とする
請求項８８に記載の装置。
【請求項９０】
前記Ｔが１より大きい場合、前記Ｔ個の第１時間位置のいずれか２つの第１時間位置が連続しないことを特徴とする
請求項８７〜８９のいずれか１項に記載の装置。
【請求項９１】
前記Ｔが１より大きい場合、前記Ｔ個の第１時間位置のうちの少なくとも２つの第１時間位置が連続したものであることを特徴とする
請求項８７〜８９のいずれか１項に記載の装置。
【請求項９２】
同じスロットにおいて、前記少なくとも２つの連続した第１時間位置と隣接する前記少なくとも２つの連続した第１時間位置とが少なくとも１つのシンボルの間隔を置いていることを特徴とする
請求項９１に記載の装置。
【請求項９３】
前記Ｎ個の第１時間位置のうちのＫ個の第１時間位置と同期信号ブロックの第２時間位置とは時間的に少なくとも一部が重なっており、前記Ｋが１以上の整数であり、前記第２時間位置が前記同期信号ブロックの実際の送信時間位置又は候補時間位置であることを特徴とする
請求項８１〜９２のいずれか１項に記載の装置。
【請求項９４】
前記Ｋ個の第１時間位置のうちの単独の第１時間位置は、多くとも１つの前記第２時間位置と時間的に少なくとも一部が重なっていることを特徴とする
請求項９３に記載の装置。
【請求項９５】
１つの前記第２時間位置の占用するシンボル数が１つの前記第１時間位置の占用するシンボル数のＬ倍である場合、前記Ｎ個の第１時間位置の占用するシンボルが全部前記第２時間位置の占用するシンボルに属し、前記Ｌが１以上の整数であることを特徴とする
請求項９３又は９４に記載の装置。
【請求項９６】
前記処理ユニットは、更に、
第１パターンに基づき、前記Ｎ個の第１時間位置を確定するように構成され、前記第１パターンが第２パターンと同じであり、前記第２パターンが特定の周波数点における同期信号ブロックの候補時間位置又は実際の送信時間位置を示すことに用いられることを特徴とする
請求項８１〜９５のいずれか１項に記載の装置。
【請求項９７】
前記処理ユニットは、更に、
前記第１パターンで示される信号送信のための時間位置の数、信号送信のための時間位置の占用する時間長及び信号送信のための時間位置の並び関係のうちの少なくとも１つに基づき、前記Ｎ個の第１時間位置を確定するように構成されることを特徴とする
請求項９６に記載の装置。
【請求項９８】
前記第１時間位置の時間長が前記第１パターンで示される時間位置の占用する時間長以下であることを特徴とする
請求項９７に記載の装置。
【請求項９９】
前記Ｎ個の第１時間位置の隣接する２つの第１時間位置間の間隔が前記第１パターンで示される隣接する２つの時間位置間の間隔に等しいことを特徴とする
請求項９７に記載の装置。
【請求項１００】
前記Ｎが前記第１パターンで示される時間位置の数に等しいことを特徴とする
請求項９７に記載の装置。
【請求項１０１】
前記処理ユニットは、更に、
同期信号ブロックの候補時間位置又は実際の送信時間位置に基づき、前記Ｎ個の第１時間位置を確定するように構成されることを特徴とする
請求項８１〜９６のいずれか１項に記載の装置。
【請求項１０２】
前記処理ユニットは、更に、
予め合意されたＮ個の第２時間位置と前記Ｎ個の第１時間位置との関係に基づき、前記Ｎ個の第１時間位置を確定するように構成され、Ｎ個の前記第２時間位置が前記同期信号ブロックの候補時間位置又は実際の送信時間位置であることを特徴とする
請求項１０１に記載の装置。
【請求項１０３】
前記処理ユニットは、更に、
前記第１時間位置がページングを行うためのものである場合、前記同期信号ブロックの対応するＲＭＳＩ又はＯＳＩ又はオンデマンドシステム情報、又はＲＲＣ専用シグナリングの指示に基づき、前記第１時間位置を確定するように構成されることを特徴とする
請求項９３〜１０２のいずれか１項に記載の装置。
【請求項１０４】
前記処理ユニットは、更に、
前記第１時間位置がブロードキャストメッセージを送信するためのものである場合、前記同期信号ブロックの対応するＲＭＳＩ又はＯＳＩ又はオンデマンドシステム情報の指示に基づき、前記第１時間位置を確定するように構成されることを特徴とする
請求項９３〜１０３のいずれか１項に記載の装置。
【発明の詳細な説明】
【技術分野】
【０００１】
本願は通信分野に関し、且つより具体的に、無線通信方法及び装置に関する。
【背景技術】
【０００２】
ロングタームエボリューション（ＬＴＥ：Ｌｏｎｇ  Ｔｅｒｍ  Ｅｖｏｌｕｔｉｏｎ）システムにおいて、ネットワーク装置及び端末装置はページングサイクルにおいてネットワーク装置が端末装置へページングを行うページング時点を確定することができる。
【０００３】
将来の新無線（ＮＲ：Ｎｅｗ  Ｒａｄｉｏ）システムにおいて、どのようにページングを行うかは早急な解決の待たれる問題である。
【発明の概要】
【発明が解決しようとする課題】
【０００４】
本願の実施例はＮＲシステムにおけるページング又はブロードキャストメッセージの送信を実現することのできる無線通信方法及び装置を提供する。
【課題を解決するための手段】
【０００５】
第１態様に係る無線通信方法であって、
ネットワーク装置が特定の周波数点において端末装置へページングを行い又はブロードキャストメッセージを送信するために占用する必要があるＮ個の第１時間位置を確定し、前記Ｎが１以上の整数であることと、
前記ネットワーク装置が前記特定の周波数点において、前記Ｎ個の第１時間位置で前記端末装置へページングを行い又はブロードキャストメッセージを送信することと、を含むことを特徴とする。
【０００６】
第１態様を参照して、第１態様の可能な実現方式では、前記ネットワーク装置が前記特定の周波数点において、前記Ｎ個の第１時間位置で前記端末装置へページングを行い又はブロードキャストメッセージを送信することは、
異なる第１時間位置で、異なる送信ビームを用いてページングを行い又はブロードキャストメッセージを送信することを含む。
【０００７】
第１態様又は上記いずれか１つの可能な実現方式では、第１態様の他の可能な実現方式では、前記第１時間位置がページングを行うためのものである場合、前記Ｎ個の第１時間位置のうちの各第１時間位置で、それぞれ前記端末装置へページングを行うためのＰＤＣＣＨ及び／又はＰＤＳＣＨを送信する。
【０００８】
第１態様又は上記いずれか１つの可能な実現方式では、第１態様の他の可能な実現方式では、前記Ｎ個の第１時間位置が１回の完全なビーム走査に対応する。
【０００９】
第１態様又は上記いずれか１つの可能な実現方式では、第１態様の他の可能な実現方式では、前記ネットワーク装置が特定の周波数点において端末装置へページングを行い又はブロードキャストメッセージを送信するために占用する必要があるＮ個の第１時間位置を確定することは、
前記第１時間位置がページングを行うためのものである場合、前記端末装置の識別情報に基づき、前記Ｎ個の第１時間位置を確定することを含む。
【００１０】
第１態様又は上記いずれか１つの可能な実現方式では、第１態様の他の可能な実現方式では、前記Ｎ個の第１時間位置が時間的に連続したものである。
【００１１】
第１態様又は上記いずれか１つの可能な実現方式では、第１態様の他の可能な実現方式では、前記Ｎ個の第１時間位置がＱ個のスロットを占用しており、前記Ｎ個の第１時間位置の開始点が前記Ｑ個のスロットのうちの１番目のスロットのＭ番目のシンボルであり、前記Ｑが１以上の整数であり、前記Ｍが１以上の整数である。
【００１２】
第１態様又は上記いずれか１つの可能な実現方式では、第１態様の他の可能な実現方式では、前記Ｎ個の第１時間位置のうちの少なくとも２つの隣接する第１時間位置が連続しない。
【００１３】
第１態様又は上記いずれか１つの可能な実現方式では、第１態様の他の可能な実現方式では、前記Ｎ個の第１時間位置がＲ個のスロットを占用しており、各スロットがＴ個の第１時間位置を含み、前記Ｒが１以上の整数であり、前記Ｔが１以上の整数である。
【００１４】
第１態様又は上記いずれか１つの可能な実現方式では、第１態様の他の可能な実現方式では、前記各スロットにおいて、前記Ｔ個の第１時間位置の開始点が前記各スロットのＳ番目のシンボルであり、前記Ｓが１以上の整数である。
【００１５】
第１態様又は上記いずれか１つの可能な実現方式では、第１態様の他の可能な実現方式では、前記各スロットにおいて、前記Ｔ個の第１時間位置の終了点が前記各スロットの後ろからＰ番目のシンボルであり、前記Ｐが１以上の整数である。
【００１６】
第１態様又は上記いずれか１つの可能な実現方式では、第１態様の他の可能な実現方式では、前記Ｔが１より大きい場合、前記Ｔ個の第１時間位置のいずれか２つの第１時間位置が連続しない。
【００１７】
第１態様又は上記いずれか１つの可能な実現方式では、第１態様の他の可能な実現方式では、前記Ｔが１より大きい場合、前記Ｔ個の第１時間位置のうちの少なくとも２つの第１時間位置が連続したものである。
【００１８】
第１態様又は上記いずれか１つの可能な実現方式では、第１態様の他の可能な実現方式では、同じスロットにおいて、前記少なくとも２つの連続した第１時間位置と隣接する前記少なくとも２つの連続した第１時間位置とが少なくとも１つのシンボルの間隔を置いている。
【００１９】
第１態様又は上記いずれか１つの可能な実現方式では、第１態様の他の可能な実現方式では、前記Ｎ個の第１時間位置のうちのＫ個の第１時間位置と同期信号ブロックの第２時間位置とは時間的に少なくとも一部が重なっており、前記Ｋが１以上の整数であり、前記第２時間位置が前記同期信号ブロックの実際の送信時間位置又は候補時間位置である。
【００２０】
第１態様又は上記いずれか１つの可能な実現方式では、第１態様の他の可能な実現方式では、前記Ｋ個の第１時間位置のうちの単独の第１時間位置は、多くとも１つの前記第２時間位置と時間的に少なくとも一部が重なっている。
【００２１】
第１態様又は上記いずれか１つの可能な実現方式では、第１態様の他の可能な実現方式では、１つの前記第２時間位置の占用するシンボル数が１つの前記第１時間位置の占用するシンボル数のＬ倍である場合、前記Ｎ個の第１時間位置の占用するシンボルが全部前記第２時間位置の占用するシンボルに属し、前記Ｌが１以上の整数である。
【００２２】
第１態様又は上記いずれか１つの可能な実現方式では、第１態様の他の可能な実現方式では、前記方法は、更に、
同じパラメータで設定されたビームを用いて、それぞれ時間的に重なっている前記第１時間位置及び前記第２時間位置で前記端末装置へページングを行い又はブロードキャストメッセージを送信し、前記同期信号ブロックを送信することを含む。
【００２３】
第１態様又は上記いずれか１つの可能な実現方式では、第１態様の他の可能な実現方式では、前記ネットワーク装置が特定の周波数点において端末装置へページングを行い又はブロードキャストメッセージを送信するために占用する必要があるＮ個の第１時間位置を確定することは、
第１パターンに基づき、前記Ｎ個の第１時間位置を確定することを含み、前記第１パターンが第２パターンと同じであり、前記第２パターンが特定の周波数点における同期信号ブロックの候補時間位置又は実際の送信時間位置を示すことに用いられる。
【００２４】
第１態様又は上記いずれか１つの可能な実現方式では、第１態様の他の可能な実現方式では、第１パターンに基づき、前記Ｎ個の第１時間位置を確定することは、
前記第１パターンで示される信号送信のための時間位置の数、信号送信のための時間位置の占用する時間長及び信号送信のための時間位置の並び関係のうちの少なくとも１つに基づき、前記Ｎ個の第１時間位置を確定することを含む。
【００２５】
第１態様又は上記いずれか１つの可能な実現方式では、第１態様の他の可能な実現方式では、前記第１時間位置の時間長が前記第１パターンで示される時間位置の占用する時間長以下である。
【００２６】
第１態様又は上記いずれか１つの可能な実現方式では、第１態様の他の可能な実現方式では、前記Ｎ個の第１時間位置の隣接する２つの第１時間位置間の間隔が前記第１パターンで示される隣接する２つの時間位置間の間隔に等しい。
【００２７】
第１態様又は上記いずれか１つの可能な実現方式では、第１態様の他の可能な実現方式では、前記Ｎが前記第１パターンで示される時間位置の数に等しい。
【００２８】
第１態様又は上記いずれか１つの可能な実現方式では、第１態様の他の可能な実現方式では、前記ネットワーク装置が特定の周波数点においてページングを行い又はブロードキャストメッセージを送信するためのＮ個の第１時間位置を確定することは、
同期信号ブロックの候補時間位置又は実際の送信時間位置に基づき、前記Ｎ個の第１時間位置を確定することを含む。
【００２９】
第１態様又は上記いずれか１つの可能な実現方式では、第１態様の他の可能な実現方式では、同期信号ブロックの候補時間位置又は実際の送信時間位置に基づき、前記Ｎ個の第１時間位置を確定することは、
予め合意されたＮ個の第２時間位置と前記Ｎ個の第１時間位置との関係に基づき、前記Ｎ個の第１時間位置を確定することを含み、Ｎ個の前記第２時間位置が前記同期信号ブロックの候補時間位置又は実際の送信時間位置である。
【００３０】
第１態様又は上記いずれか１つの可能な実現方式では、第１態様の他の可能な実現方式では、前記Ｎは、前記特定の周波数点において１回の完全なビーム走査において前記ネットワーク装置が前記端末装置へ送信した同期信号ブロックの第２時間位置の数に等しく、且つ、前記Ｎ個の第１時間位置でページングを行い又はブロードキャストメッセージを送信する際に用いたビームは、同じ数の第２時間位置で同期信号ブロックを送信するビームパラメータの設定に一致する。
【００３１】
第１態様又は上記いずれか１つの可能な実現方式では、第１態様の他の可能な実現方式では、前記第１時間位置がページングを行うためのものである場合、前記方法は、更に、
前記同期信号ブロックの対応するＲＭＳＩ又はＯＳＩ又はオンデマンドシステム情報、又はＲＲＣ専用シグナリングで前記第１時間位置を示すことを含む。
【００３２】
第１態様又は上記いずれか１つの可能な実現方式では、第１態様の他の可能な実現方式では、前記第１時間位置がブロードキャストメッセージを送信するためのものである場合、前記方法は、更に、
前記同期信号ブロックの対応するＲＭＳＩ又はＯＳＩ又はオンデマンドシステム情報で前記第１時間位置を示すことを含む。
【００３３】
第２態様に係る無線通信方法であって、
端末装置はネットワーク装置が特定の周波数点において前記端末装置へページングを行い又はブロードキャストメッセージを送信する際に占用するＮ個の第１時間位置を確定し、前記Ｎが１以上の整数であることと、
前記端末装置が前記特定の周波数点において、前記Ｎ個の第１時間位置で前記ネットワーク装置により行うページング又は送信するブロードキャストメッセージを監視することと、を含む。
【００３４】
第２態様を参照して、第２態様の他の可能な実現方式では、前記第１時間位置がページングを行うためのものである場合、前記Ｎ個の第１時間位置のうちの各第１時間位置で、それぞれ前記端末装置へページングを行うためのＰＤＣＣＨ及び／又はＰＤＳＣＨを送信する。
【００３５】
第２態様又は上記いずれか１つの可能な実現方式を参照して、第２態様の他の可能な実現方式では、端末装置が、ネットワーク装置が特定の周波数点において前記端末装置へページングを行い又はブロードキャストメッセージを送信する際に占用するＮ個の第１時間位置を確定することは、
前記第１時間位置がページングを行うためのものである場合、前記端末装置の識別情報に基づき、前記Ｎ個の第１時間位置を確定することを含む。
【００３６】
第２態様又は上記いずれか１つの可能な実現方式を参照して、第２態様の他の可能な実現方式では、前記Ｎ個の第１時間位置が時間的に連続したものである。
【００３７】
第２態様又は上記いずれか１つの可能な実現方式を参照して、第２態様の他の可能な実現方式では、前記Ｎ個の第１時間位置がＱ個のスロットを占用しており、前記Ｎ個の第１時間位置の開始点が前記Ｑ個のスロットのうちの１番目のスロットのＭ番目のシンボルであり、前記Ｑが１以上の整数であり、前記Ｍが１以上の整数である。
【００３８】
第２態様又は上記いずれか１つの可能な実現方式を参照して、第２態様の他の可能な実現方式では、前記Ｎ個の第１時間位置のうちの少なくとも２つの隣接する第１時間位置が連続しない。
【００３９】
第２態様又は上記いずれか１つの可能な実現方式を参照して、第２態様の他の可能な実現方式では、前記Ｎ個の第１時間位置がＲ個のスロットを占用しており、各スロットがＴ個の第１時間位置を含み、前記Ｒが１以上の整数であり、前記Ｔが１以上の整数である。
【００４０】
第２態様又は上記いずれか１つの可能な実現方式を参照して、第２態様の他の可能な実現方式では、前記各スロットにおいて、前記Ｔ個の第１時間位置の開始点が前記各スロットのＳ番目のシンボルであり、前記Ｓが１以上の整数である。
【００４１】
第２態様又は上記いずれか１つの可能な実現方式を参照して、第２態様の他の可能な実現方式では、前記各スロットにおいて、前記Ｔ個の第１時間位置の終了点が前記各スロットの後ろからＰ番目のシンボルであり、前記Ｐが１以上の整数である。
【００４２】
第２態様又は上記いずれか１つの可能な実現方式を参照して、第２態様の他の可能な実現方式では、前記Ｔが１より大きい場合、前記Ｔ個の第１時間位置のいずれか２つの第１時間位置が連続しない。
【００４３】
第２態様又は上記いずれか１つの可能な実現方式を参照して、第２態様の他の可能な実現方式では、前記Ｔが１より大きい場合、前記Ｔ個の第１時間位置のうちの少なくとも２つの第１時間位置が連続したものである。
【００４４】
第２態様又は上記いずれか１つの可能な実現方式を参照して、第２態様の他の可能な実現方式では、同じスロットにおいて、前記少なくとも２つの連続した第１時間位置と隣接する前記少なくとも２つの連続した第１時間位置とが少なくとも１つのシンボルの間隔を置いている。
【００４５】
第２態様又は上記いずれか１つの可能な実現方式を参照して、第２態様の他の可能な実現方式では、前記Ｎ個の第１時間位置のうちのＫ個の第１時間位置と同期信号ブロックの第２時間位置とは時間的に少なくとも一部が重なっており、前記Ｋが１以上の整数であり、前記第２時間位置が前記同期信号ブロックの実際の送信時間位置又は候補時間位置である。
【００４６】
第２態様又は上記いずれか１つの可能な実現方式を参照して、第２態様の他の可能な実現方式では、前記Ｋ個の第１時間位置のうちの単独の第１時間位置は、多くとも１つの前記第２時間位置と時間的に少なくとも一部が重なっている。
【００４７】
第２態様又は上記いずれか１つの可能な実現方式を参照して、第２態様の他の可能な実現方式では、１つの前記第２時間位置の占用するシンボル数が１つの前記第１時間位置の占用するシンボル数のＬ倍である場合、前記Ｎ個の第１時間位置の占用するシンボルが全部前記第２時間位置の占用するシンボルに属し、前記Ｌが１以上の整数である。
【００４８】
第２態様又は上記いずれか１つの可能な実現方式を参照して、第２態様の他の可能な実現方式では、前記端末装置が、ネットワーク装置が特定の周波数点において前記端末装置へページングを行い又はブロードキャストメッセージを送信する際に占用するＮ個の第１時間位置を確定することは、
第１パターンに基づき、前記Ｎ個の第１時間位置を確定することを含み、前記第１パターンが第２パターンと同じであり、前記第２パターンが特定の周波数点における同期信号ブロックの候補時間位置又は実際の送信時間位置を示すことに用いられる。
【００４９】
第２態様又は上記いずれか１つの可能な実現方式を参照して、第２態様の他の可能な実現方式では、第１パターンに基づき、前記Ｎ個の第１時間位置を確定することは、
前記第１パターンで示される信号送信のための時間位置の数、信号送信のための時間位置の占用する時間長及び信号送信のための時間位置の並び関係のうちの少なくとも１つに基づき、前記Ｎ個の第１時間位置を確定することを含む。
【００５０】
第２態様又は上記いずれか１つの可能な実現方式を参照して、第２態様の他の可能な実現方式では、前記第１時間位置の時間長が前記第１パターンで示される時間位置の占用する時間長以下である。
【００５１】
第２態様又は上記いずれか１つの可能な実現方式を参照して、第２態様の他の可能な実現方式では、前記Ｎ個の第１時間位置の隣接する２つの第１時間位置間の間隔が前記第１パターンで示される隣接する２つの時間位置間の間隔に等しい。
【００５２】
第２態様又は上記いずれか１つの可能な実現方式を参照して、第２態様の他の可能な実現方式では、前記Ｎが前記第１パターンで示される時間位置の数に等しい。
【００５３】
第２態様又は上記いずれか１つの可能な実現方式を参照して、第２態様の他の可能な実現方式では、前記ネットワーク装置が特定の周波数点においてページングを行い又はブロードキャストメッセージを送信するためのＮ個の第１時間位置を確定することは、
同期信号ブロックの候補時間位置又は実際の送信時間位置に基づき、前記Ｎ個の第１時間位置を確定することを含む。
【００５４】
第２態様又は上記いずれか１つの可能な実現方式を参照して、第２態様の他の可能な実現方式では、同期信号ブロックの候補時間位置又は実際の送信時間位置に基づき、前記Ｎ個の第１時間位置を確定することは、
予め合意されたＮ個の第２時間位置と前記Ｎ個の第１時間位置との関係に基づき、前記Ｎ個の第１時間位置を確定することを含み、Ｎ個の前記第２時間位置が前記同期信号ブロックの候補時間位置又は実際の送信時間位置である。
【００５５】
第２態様又は上記いずれか１つの可能な実現方式を参照して、第２態様の他の可能な実現方式では、前記第１時間位置がページングを行うためのものである場合、前記方法は、更に、
前記同期信号ブロックの対応するＲＭＳＩ又はＯＳＩ又はオンデマンドシステム情報、又はＲＲＣ専用シグナリングの指示に基づき、前記第１時間位置を確定することを含む。
【００５６】
第２態様又は上記いずれか１つの可能な実現方式を参照して、第２態様の他の可能な実現方式では、前記第１時間位置がブロードキャストメッセージを送信するためのものである場合、前記方法は、更に、
前記同期信号ブロックの対応するＲＭＳＩ又はＯＳＩ又はオンデマンドシステム情報の指示に基づき、前記第１時間位置を確定することを含む。
【００５７】
第３態様に係るネットワーク装置であって、該ネットワーク装置は上記第１態様又は第１態様のいずれか１つの可能な実現方式における方法を実行するように構成される。具体的に、前記ネットワーク装置は上記第１態様又は第１態様のいずれか１つの可能な実現方式における方法を実行するための機能モジュールを備える。
【００５８】
第４態様に係る端末装置であって、該端末装置は上記第２態様又は第２態様のいずれか１つの可能な実現方式における方法を実行するように構成される。具体的に、前記端末装置は上記第２態様又は第２態様のいずれか１つの可能な実現方式における方法を実行するための機能モジュールを備える。
【００５９】
第５態様に係るネットワーク装置であって、該ネットワーク装置はプロセッサ、メモリ及び送受信機を備える。前記プロセッサ、前記メモリ及び前記送受信機が内部接続経路によって互いに通信し、制御及び／又はデータ信号を伝達することにより、前記ネットワーク装置が上記第１態様又は第１態様のいずれか１つの可能な実現方式における方法を実行する。
【００６０】
第６態様に係る端末装置であって、該端末装置はプロセッサ、メモリ及び送受信機を備える。前記プロセッサ、前記メモリ及び前記送受信機が内部接続経路によって互いに通信し、制御及び／又はデータ信号を伝達することにより、前記端末装置が上記第２態様又は第２態様のいずれか１つの可能な実現方式における方法を実行する。
【００６１】
第７態様に係るコンピュータ可読媒体であって、該コンピュータ可読媒体はコンピュータプログラムを記憶することに用いられ、前記コンピュータプログラムは上記いずれか１つの方法又はいずれか１つの可能な実現方式における方法を実行するための命令を含む。
【００６２】
第８態様に係る命令を含むコンピュータプログラム製品であって、該コンピュータプログラム製品がコンピュータにおいて実行されるとき、コンピュータが上記いずれか１つの方法又はいずれか１つの可能な実現方式における方法を実行する。
【図面の簡単な説明】
【００６３】
【図１】図１は本願の実施例に係る無線通信システムの模式図である。
【図２】図２は本願の実施例に係る無線通信方法のフローチャートである。
【図３】図３は本願の実施例に係る同期信号ブロックのスロット分布図である。
【図４】図４は本願の実施例に係るスロット内の同期信号ブロックの分布図である。
【図５】図５は本願の実施例に係る同期信号ブロックの候補位置とページング又はブロードキャストメッセージの可能な位置との模式関係図である。
【図６】図６は本願の実施例に係る同期信号ブロックの実際の送信位置とページング又はブロードキャストメッセージの実際の占用位置との模式関係図である。
【図７】図７は本願の実施例に係るページングを行い又はブロードキャストメッセージを送信するための時間が未知である模式図である。
【図８】図８は本願の実施例に係る同期信号ブロックの実際の送信位置とページング又はブロードキャストメッセージの実際の占用位置との模式関係図である。
【図９】図９は本願の実施例に係るネットワーク装置のブロック図である。
【図１０】図１０は本願の実施例に係る端末装置のブロック図である。
【図１１】図１１は本願の実施例に係るシステムチップのブロック図である。
【図１２】図１２は本願の実施例に係る通信装置のブロック図である。
【発明を実施するための形態】
【００６４】
本願の実施例の技術案をより明確に説明するために、以下に実施例又は従来技術の記述において必要な図面を用いて簡単に説明を行うが、当然ながら、以下に記載する図面は単に本願の実施例の一例であって、当業者であれば、創造的な労力を要することなく、これらの図面に基づいて他の図面に想到しうる。
【００６５】
以下、本願の実施例の図面を参照しながら、本願の実施例の技術案を説明し、無論、説明される実施例は本願の実施例の一部であり、実施例のすべてではない。本願の実施例に基づき、当業者が進歩性のある労働を必要とせずに得られる他の実施例は、いずれも本願の保護範囲に属する。
【００６６】
本願の実施例の技術案は様々な通信システム、例えば、モバイル通信用グローバル（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ロングタームエボリューション（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）システム、ユニバーサル移動体通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、マイクロ波利用アクセスに関する世界的な相互運用（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム又は将来の５Ｇシステム等に適用されてもよい。
【００６７】
図１には本願の実施例に適用される無線通信システム１００を示す。該無線通信システム１００はネットワーク装置１１０を備えてもよい。ネットワーク装置１００は端末装置と通信する装置であってもよい。ネットワーク装置１００は特定の地理的領域に通信カバレッジを提供することができ、且つ該カバレッジ領域内の端末装置（例えば、ＵＥ）と通信することができる。好ましくは、該ネットワーク装置１００はＧＳＭシステム又はＣＤＭＡシステムにおける基地局（ＢＴＳ：Ｂａｓｅ  Ｔｒａｎｓｃｅｉｖｅｒ  Ｓｔａｔｉｏｎ）であってもよく、ＷＣＤＭＡシステムにおける基地局（ＮＢ：ＮｏｄｅＢ）であってもよく、ＬＴＥシステムにおける発展型基地局（ｅＮＢ又はｅＮｏｄｅＢ：Ｅｖｏｌｕｔｉｏｎａｌ  Ｎｏｄｅ  Ｂ）であってもよく、又はクラウド無線アクセスネットワーク（ＣＲＡＮ：Ｃｌｏｕｄ  Ｒａｄｉｏ  Ａｃｃｅｓｓ  Ｎｅｔｗｏｒｋ）における無線制御装置であってもよく、又は、該ネットワーク装置は中継所、アクセスポイント、車載装置、ウェアラブル端末、将来の５Ｇネットワークにおけるネットワーク側装置又は将来発展する公衆陸上移動網（ＰＬＭＮ：Ｐｕｂｌｉｃ  Ｌａｎｄ  Ｍｏｂｉｌｅ  Ｎｅｔｗｏｒｋ）におけるネットワーク装置等であってもよい。
【００６８】
該無線通信システム１００は更にネットワーク装置１１０のカバレッジ範囲内の少なくとも１つの端末装置１２０を備える。端末装置１２０は移動又は固定であってもよい。好ましくは、端末装置１２０はアクセス端末、ユーザー装置（ＵＥ：Ｕｓｅｒ  Ｅｑｕｉｐｍｅｎｔ）、ユーザー要素、加入者局、移動局、トラバーサー、遠隔局、遠隔端末、モバイルデバイス、ユーザー端末、端末、無線通信装置、ユーザーエージェント又はユーザーデバイスを指してもよい。アクセス端末はセルラー方式の電話、コードレスホン、セッション確立プロトコル（ＳＩＰ：Ｓｅｓｓｉｏｎ  Ｉｎｉｔｉａｔｉｏｎ  Ｐｒｏｔｏｃｏｌ）電話、ワイヤレスローカルループ（ＷＬＬ：Ｗｉｒｅｌｅｓｓ  Ｌｏｃａｌ  Ｌｏｏｐ）局、パーソナルデジタルアシスタント（ＰＤＡ：Ｐｅｒｓｏｎａｌ  Ｄｉｇｉｔａｌ  Ａｓｓｉｓｔａｎｔ）、無線通信機能を有する携帯端末、コンピューティングデバイス又は無線モデムに接続される他の処理装置、車載装置、ウェアラブル端末、将来の５Ｇネットワークにおける端末装置又は将来発展するＰＬＭＮにおける端末装置等であってもよい。
【００６９】
好ましくは、端末装置１２０同士が端末対端末（Ｄ２Ｄ：Ｄｅｖｉｃｅ  ｔｏ  Ｄｅｖｉｃｅ）通信を行うことができる。
【００７０】
好ましくは、５Ｇシステム又はネットワークが更に新無線（ＮＲ：Ｎｅｗ  Ｒａｄｉｏ）システム又はネットワークと称されてもよい。
【００７１】
図１には１つのネットワーク装置及び２つの端末装置を例示的に示し、好ましくは、該無線通信システム１００は複数のネットワーク装置を備えてもよく、且つ各ネットワーク装置のカバレッジ範囲内には他の数の端末装置が含まれてもよく、本願の実施例は制限しない。
【００７２】
好ましくは、該無線通信システム１００は更にネットワーク制御装置、モビリティ管理エンティティ等の他のネットワークエンティティを備えてもよく、本願の実施例は制限しない。
【００７３】
理解すべきこととして、本明細書において、本明細書における用語「システム」と「ネットワーク」は常に交換可能に使用される。本明細書における用語「及び／又は」は関連オブジェクトの関連関係を説明するためのものに過ぎず、３つの関係が存在してもよいことを示し、例えば、「Ａ及び／又はＢ」は「Ａが独立して存在する」「ＡとＢが同時に存在する」「Ｂが独立して存在する」の３つの状況を示してもよい。また、本明細書における文字「／」は一般的に前後関連オブジェクトが「又は」関係であることを示す。
【００７４】
図２は本願の実施例に係る無線通信方法２００のフローチャートである。該方法２００は好ましくは図１に示されるシステムに適用されてもよいが、これに限らない。該方法２００は以下の少なくとも一部を含む。
【００７５】
２１０において、ネットワーク装置が特定の周波数点において端末装置へページングを行い又はブロードキャストメッセージを送信するために占用する必要があるＮ個の第１時間位置を確定し、前記Ｎが１以上の整数である。
【００７６】
好ましくは、異なる第１時間位置で、異なる送信ビームを用いてページングを行い又はブロードキャストメッセージを送信する。
【００７７】
好ましくは、前記第１時間位置がページングを行うためのものである場合、前記Ｎ個の第１時間位置のうちの各第１時間位置で、それぞれ前記端末装置へページングを行うためのＰＤＣＣＨ及び／又はＰＤＳＣＨを送信する。
【００７８】
好ましくは、前記Ｎ個の第１時間位置が１回の完全なビーム走査に対応する。
【００７９】
好ましくは、本願の実施例に言及した時間位置は少なくとも１つのシンボルを含んでもよく、複数のシンボルを含む場合、該複数のシンボルが連続したものであってもよい。
【００８０】
好ましくは、該Ｎ個の第１時間位置に含まれるシンボル数が同じであってもよいし、異なってもよい。
【００８１】
好ましくは、各時間位置がシングルビーム走査に対応し、１回のページングを行い又はブロードキャストメッセージを送信する異なる時間位置が異なるビームに対応してもよい。
【００８２】
好ましくは、ネットワーク装置が端末装置へページングを行うことは、対応する時間位置でページングのための物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）及び／又は物理ダウンリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ）を送信することを意味してもよい。
【００８３】
好ましくは、本願の実施例に言及したブロードキャストメッセージはベアラＲＭＳＩ、ＯＳＩ又はオンデマンドシステム情報（Ｏｎ−ｄｅｍａｎｄｓ  ｓｙｓｔｅｍ  ｉｎｆｏｒｍａｔｉｏｎ）を指してもよい。
【００８４】
好ましくは、ページングを行うとき、本願の実施例に言及した１つの時間位置が周波数分割多重化されたＰＤＳＣＨ及びＰＤＣＣＨをベアリングし、又は、１つの時間位置の異なるシンボルがそれぞれＰＤＳＣＨ及びＰＤＣＣＨをベアリングし、又は、１つの時間位置がＰＤＣＣＨ又はＰＤＳＣＨのみをベアリングし、又は、ＰＤＳＣＨが１つの時間位置の複数のシンボルを占用してもよく、ＰＤＣＣＨが該複数のシンボルの少なくとも一部のシンボルにおいてＰＤＳＣＨと周波数分割多重化される。
【００８５】
好ましくは、本願の実施例では、ページングを行うとき、ネットワーク装置が特定の周波数点において端末装置へページングを行うためのＮ個の第１時間位置を確定する前に、該ネットワーク装置が該端末装置へページングを行うページング時点を確定し、該ページング時間内にＮ個の時間位置を確定する。
【００８６】
好ましくは、本願の実施例に言及したページング時点はＰＤＳＣＨ及び／又はＰＤＣＣＨを送信するためのものであってもよい。
【００８７】
ページング時点がＰＤＳＣＨ及びＰＤＣＣＨを送信するためのものである場合、ＰＤＳＣＨがＰＤＣＣＨとともに同じ時間位置（同じシンボルを占用する）で送信されてもよく、この時、ＰＤＳＣＨとＰＤＣＣＨとが周波数分割多重化されてもよい。
【００８８】
又は、ページング時点がＰＤＳＣＨ及びＰＤＣＣＨを送信するためのものである場合、ＰＤＳＣＨがＰＤＣＣＨとともに異なる時間位置で送信されてもよい。例えば、マルチビームによってＰＤＣＣＨを送信してからマルチビームによってＰＤＳＣＨを送信してもよい。例えば、同じ又は異なるビームによって異なるシンボルにおいてそれぞれＰＤＣＣＨ又はＰＤＳＣＨを１回送信し、次に、同じ又は異なるビームによって他の異なるシンボルにおいてそれぞれＰＤＣＣＨ及びＰＤＳＣＨを１回送信してもよく、これによって類推する。
【００８９】
好ましくは、端末装置がページングを監視するとき、端末装置がそのページングサイクル内のある特定のフレーム（ＰＦと称される）の特定のサブフレーム（ＰＯと称される）においてページングメッセージを受信してみてもよい。ページング時点（ＰＯ：Ｐａｇｉｎｇ  Ｏｃｃａｓｉｏｎ）は１つのサブフレームであってもよく、該サブフレームにはページング無線ネットワーク一時識別子（Ｐ−ＲＮＴＩ：Ｐａｇｉｎｇ  ＲＮＴＩ  Ｒａｄｉｏ  Ｎｅｔｗｏｒｋ  Ｔｅｍｐｏｒｙ  Ｉｄｅｎｔｉｔｙ）を使用してスクランブリングして、Ｐａｇｉｎｇメッセージを示すＰＤＣＣＨがある可能性がある。間欠受信（ＤＲＸ：Ｄｉｓｃｏｎｔｉｎｕｏｕｓ  ｒｅｃｅｐｔｉｏｎ）を使用した場合、端末装置は各ＤＲＸサイクル（ｃｙｃｌｅ）において１つのＰＯを検出する必要があり、つまり、各端末装置に対応して、各ＰａｇｉｎｇサイクルにはＰａｇｉｎｇを送信できる１つのサブフレームがあってもよい。ＤＲＸ  ｃｙｃｌｅはＰａｇｉｎｇサイクルと同じであってもよい。ページングフレーム（ＰＦ：Ｐａｇｉｎｇ  Ｆｒａｍｅ）は１つの無線フレームであってもよく、該フレームは１つ又は複数のＰＯを含む可能性がある。
【００９０】
好ましくは、前記第１時間位置がページングを行うためのものである場合、前記端末装置の識別情報に基づき、前記Ｎ個の第１時間位置を確定する。
【００９１】
具体的に、端末装置の識別情報を利用して、ページングサイクル又はページング時点を確定してもよく、ページングサイクル又はページング時間の確定は他の要素を参照してもよく、本願の実施例は制限しない。
【００９２】
理解すべきこととして、以上に説明されるページング時点は本願の具体的な実現に過ぎず、本願を理解しやすくするために、本願の範囲を特に制限するためのものではない。
【００９３】
好ましくは、本願の実施例に言及した特定の周波数点は端末装置と通信するある周波数点であってもよい。
【００９４】
好ましくは、ネットワーク経由で伝送するとき、端末と具体的なあるパターンを合意し、又は異なる周波数帯域に対して異なるパターンを合意し、又は集中パターンを予め合意し、更にシステム情報によって具体的にどのパターンを使用するかを端末に通知してもよい。
【００９５】
２２０において、前記ネットワーク装置が前記特定の周波数点において、前記Ｎ個の第１時間位置で前記端末装置へページングを行い又はブロードキャストメッセージを送信する。
【００９６】
２３０において、端末装置はネットワーク装置が特定の周波数点において前記端末装置へページングを行い又はブロードキャストメッセージを送信する際に占用するＮ個の第１時間位置を確定し、前記Ｎが１以上の整数である。
【００９７】
好ましくは、前記第１時間位置がページングを行うためのものである場合、前記端末装置の識別情報に基づき、前記Ｎ個の第１時間位置を確定する。
【００９８】
２４０において、前記端末装置が前記特定の周波数点において、前記Ｎ個の第１時間位置で前記ネットワーク装置により行うページング又は送信するブロードキャストメッセージを監視する。
【００９９】
本願をより明確に理解するために、以下にＮ個の第１時間位置を確定するいくつかの方式を説明する。以下のいくつかの方式のうちの一部の方式は同期信号ブロックの送信に関わる。理解しやすくするために、以下に同期信号ブロックの送信を詳しく説明する。
【０１００】
同期信号ブロック（ＳＳ  Ｂｌｏｃｋ又はＳＳＢ：ｓｙｎｃｈｒｏｎｏｕｓ  Ｓｉｇｎａｌ  Ｂｌｏｃｋ）は周期的伝送を用いて、ＳＳ  Ｂｌｏｃｋサイクルにおいて、特定の周波数点のＳＳバースト集合（ＳＳ  ｂｕｒｓｔ  ｓｅｔ）を５ｍｓの時間窓に制限でき、最大のＳＳ  Ｂｌｏｃｋ数がＬであり、
３ＧＨｚ内の周波数領域範囲内では、Ｌ＝４であり、
３ＧＨｚ〜６ＧＨｚの周波数領域範囲内では、Ｌ＝８であり、
６ＧＨｚ〜５２．６ＧＨｚの周波数領域範囲内では、Ｌ＝６４である。
【０１０１】
５ｍｓの時間窓内では、異なるサブキャリア間隔及び異なる動作周波数帯域に対して、ＳＳ  Ｂｌｏｃｋのスロット分布は図２に示されてもよい。
【０１０２】
図３の第１行にはサブキャリア間隔が１５ＫＨＺ、Ｌ＝４の場合、ＳＳ  Ｂｌｏｃｋのスロット分布を示す。図３の第２行にはサブキャリア間隔が１５ＫＨＺ、Ｌ＝８の場合、ＳＳ  Ｂｌｏｃｋのスロット分布を示す。図３の第３行にはサブキャリア間隔が３０ＫＨＺ、Ｌ＝４の場合、ＳＳ  Ｂｌｏｃｋのスロット分布を示す。図３の第４行にはサブキャリア間隔が３０ＫＨＺ、Ｌ＝８の場合、ＳＳ  Ｂｌｏｃｋのスロット分布を示す。図３の第５行にはサブキャリア間隔が２４０ＫＨＺ、Ｌ＝６４の場合、ＳＳ  Ｂｌｏｃｋのスロット分布を示す。
【０１０３】
図４には１５ＫＨＺ、３０ＫＨＺ、１２０ＫＨＺ及び２４０ＫＺの１つのスロット内のパターン分布を示す。
【０１０４】
図４に示すように、１５ＫＨＺ及び３０ＫＺＨの場合、１４個のシンボルの開始位置で、ダウンリンク制御のための少なくとも１又は２つのシンボルを予備し、末尾の位置で、例えば保護間隔又はアップリンク制御のための少なくとも２つのシンボルを予備する。
【０１０５】
１２０ＫＨＺの場合、１４個のシンボルの開始位置で、ダウンリンク制御のための少なくとも２つのシンボルを予備し、末尾の位置で、例えば保護間隔又はアップリンク制御のための少なくとも２つのシンボルを予備する。
【０１０６】
２４０ＫＨＺの場合、２つの連続スロットを跨いで、１番目のスロットの開始位置で、ダウンリンク制御のための少なくとも４つのシンボルを予備し、第２つのスロットの末尾の位置で、例えば保護間隔又はアップリンク制御のための少なくとも４つのシンボルを予備する。
【０１０７】
好ましくは、ネットワーク装置又は端末装置が第１パターンに基づき、前記Ｎ個の第１時間位置を確定し、前記第１パターンが第２パターンと同じであり、前記第２パターンが特定の周波数点における同期信号ブロックの候補時間位置又は実際の送信時間位置を示すことに用いられる。
【０１０８】
具体的に、ネットワーク装置又は端末装置が前記第１パターンで示される信号送信のための時間位置の数、信号送信のための時間位置の占用する時間長及び信号送信のための時間位置の並び関係のうちの少なくとも１つに基づき、前記Ｎ個の第１時間位置を確定する。
【０１０９】
好ましくは、前記Ｎは、前記特定の周波数点において１回の完全なビーム走査において前記ネットワーク装置が前記端末装置へ送信した同期信号ブロックの第２時間位置の数に等しく、且つ、前記Ｎ個の第１時間位置でページングを行い又はブロードキャストメッセージを送信する際に用いたビームは、同じ数の第２時間位置で同期信号ブロックを送信するビームパラメータの設定に一致する。
【０１１０】
好ましくは、本願の実施例に言及した時間長はシンボルの数で表されてもよく、本願に言及した時間長はシングルビーム走査の占用する時間長であってもよいし、１回の完全なビーム走査（複数のビームを含む）の占用する時間長であってもよい。
【０１１１】
好ましくは、１つのダウンリンクビーム（又は、１つの時間位置）に対応して、ページングを行い又はブロードキャストメッセージを送信する時間長は２つ、４つ、７つのシンボル又は１つのスロット（ｓｌｏｔ）に対応する時間長であってもよい。
【０１１２】
好ましくは、本願の実施例に言及した時間位置間の間隔は２つの時間位置の中心シンボルの間隔であってもよいし、２つの時間位置の１番目のシンボルの間隔、２つの時間位置の最後のシンボル間の間隔、又は、前の時間位置の最後のシンボルと後の時間位置の１番目のシンボルとの間の間隔であってもよい。
【０１１３】
好ましくは、前記第１時間位置の時間長が前記第１パターンで示される時間位置の占用する時間長以下である。
【０１１４】
好ましくは、前記Ｎ個の第１時間位置の隣接する２つの第１時間位置間の間隔が前記第１パターンで示される隣接する２つの時間位置間の間隔に等しい。
【０１１５】
好ましくは、前記Ｎが前記第１パターンで示される時間位置の数に等しい。
【０１１６】
好ましくは、ネットワーク装置又は端末装置が同期信号ブロックの候補時間位置又は実際の送信時間位置に基づき、前記Ｎ個の第１時間位置を確定する。
【０１１７】
具体的に、予め合意されたＮ個の第２時間位置と前記Ｎ個の第１時間位置との関係に基づき、前記Ｎ個の第１時間位置を確定し、Ｎ個の前記第２時間位置が前記同期信号ブロックの候補時間位置又は実際の送信時間位置である。
【０１１８】
好ましくは、前記第１時間位置の時間長が前記第２時間位置の占用する時間長以下である。
【０１１９】
好ましくは、前記Ｎ個の第１時間位置の隣接する２つの第１時間位置間の間隔が隣接する２つの第２時間位置間の間隔に等しい。
【０１２０】
以下、サブキャリア間隔が１５ＫＨｚ、Ｌ＝４の場合を例として説明する。
【０１２１】
具体的に、ページングを行い又はブロードキャストメッセージを送信する位置は最大Ｌ＝４つのＳＳＢの候補位置を参照し、各候補位置に対応して、可能な２つのシンボル、４つのシンボル又は７つのシンボルのｐａｇｉｎｇメッセージの占用するシンボル位置は図５に示される。
【０１２２】
対応するＳＳＢが伝送される場合、それに対応して、その対応するｐａｇｉｎｇメッセージ又はブロードキャストメッセージも伝送される。そうでない場合、ある位置のＳＳＢが実際に伝送されない場合、それに対応して、ｐａｇｉｎｇメッセージ又はブロードキャストメッセージも該位置で伝送されない。例えば、図６に示すように、第１及び第４位置でのＳＳＢが伝送される場合、第１及び第４位置で端末へページングを行い又はブロードキャストメッセージを送信したこともある。
【０１２３】
図５〜図６には主にページングを行い又はブロードキャストメッセージを送信する際に２つのシンボル、４つのシンボル及び７つのシンボルを占用する場合を示すが、本願の実施例のページングを行い又はブロードキャストメッセージを送信する際に更に他の数のシンボル、例えば５つのシンボル又は６つのシンボルを占用してもよい。
【０１２４】
好ましくは、３０ＫＨｚ、１２０ＫＨＺ又は２４０ＫＨＺのＳＳＢ  パターンはＳＳＢのパターンに制限されており、隣接するＳＳＢ候補位置はシンボルが連続するため、ｐａｇｉｎｇ伝送又はブロードキャストメッセージの送信を行うためのシンボルが４つ以上にならない可能性があり、好ましくはｐａｇｉｎｇ伝送又はブロードキャストメッセージの送信を行うシンボル数が４つである。
【０１２５】
好ましくは、各ＳＳ  ｂｌｏｃｋに対応するビームにおいて、ページングを行い又はブロードキャストメッセージを送信する伝送時間長が２つ、４つ、７つのシンボル又は１つのｓｌｏｔに対応する時間長である。好ましくは、ページングを行い又はブロードキャストメッセージを送信する伝送時間長が２つ、４つのシンボルである場合、ページングを行い又はブロードキャストメッセージを送信する際にＳＳ  Ｂｌｏｃｋの占用するシンボルにおいて送信し、且つページングを行い又はブロードキャストメッセージを送信する際にＳＳ  Ｂｌｏｃｋと周波数分割多重化する。
【０１２６】
好ましくは、ページングメッセージの時間帯が周期的に送信されるＳＳバースト集合（ｂｕｒｓｔ  ｓｅｔ）と重なる場合、実際に送信されたＳＳ  Ｂｌｏｃｋのパターンを用い、そうでない場合、候補ＳＳＢのパターンを用いてもよい。
【０１２７】
以上に説明されるＮ個の第１時間位置の確定方式以外に、更に他の方式でＮ個の第１時間位置を確定し、例えば、予め設定された第１時間位置のパターンで該Ｎ個の第１時間位置を確定してもよい。
【０１２８】
以上はどのようにＮ個の第１時間位置を確定するかを説明したが、以下にＮ個の第１時間位置の占用する具体的な位置を説明し、理解すべきこととして、以下に説明されるＮ個の第１時間位置は上記いずれか１つの可能な方式で確定されてもよい。
【０１２９】
一実現方式では、Ｎ個の時間位置が連続したものである。
【０１３０】
好ましくは、該Ｎ個の時間位置がＱ個のスロットを占用しており、該Ｎ個の時間位置の開始点が該Ｑ個のスロットのうちの１番目のスロットのＭ番目のシンボルであり、該Ｑが１以上の整数であり、該Ｍが１以上の整数である。例えば、図７の第１行に示される。
【０１３１】
例えば、ページングに対して、対応するすべてのＳＳＢのｐａｇｉｎｇの送信が完了するまで、確定された開始時刻からｐａｇｉｎｇメッセージの時間長によって連続して配列する。前記確定された開始時刻はＰＯのｓｌｏｔの開始点（すなわち、１番目のシンボル）であってもよいし、Ｐｏｓｌｏｔ内のｓｌｏｔ内の１つのオフセットされた開始シンボル位置であってもよく、前記開始点はネットワークと端末とが予め決めたものであってもよいし、ネットワークが端末に通知したものであってもよい。
【０１３２】
他の実現方式では、該Ｎ個の時間位置のうちの少なくとも２つの隣接する時間位置が連続しない。例えば、図７の第２〜第７に示される。
【０１３３】
好ましくは、該Ｎ個の時間位置がＲ個のスロットを占用しており、各スロットがＴ個の時間位置を含み、該Ｒが１以上の整数であり、該Ｔが１以上の整数である。
【０１３４】
好ましくは、該各スロットにおいて、該Ｔ個の時間位置の開始点が該各スロットのＳ番目のシンボルであり、該Ｓが１以上の整数である。例えば、図７の第２行〜第７行に示されるとおり、Ｓが１より大きい。
【０１３５】
好ましくは、該各スロットにおいて、該Ｔ個の時間位置の終了点が該各スロットの後ろからＰ番目のシンボルであり、該Ｐが１以上の整数である。図７の第３行〜第７行に示されるとおり、Ｐが１より大きい。
【０１３６】
好ましくは、該Ｔが１より大きい場合、該Ｔ個の時間位置のいずれか２つの時間位置が連続しない。図７の第５行〜第６行に示される。
【０１３７】
例えば、ページングを例として、対応するすべての実際に伝送されたＳＳＢのｐａｇｉｎｇの送信が完了するまで、確定されたＰＯの開始時刻からｐａｇｉｎｇメッセージの時間長に応じてそれぞれＰＯ内の各ｓｌｏｔ内においてＭ番目のシンボルの開始位置から連続して配列されていないＫ回のページングメッセージの伝送を行い、隣接する２回のページングメッセージがＮ個のシンボルの間隔を置いていてもよい。Ｍが１、２、３であってもよく、Ｎが１、２、３であってもよく、Ｋ＝１−３である。
【０１３８】
好ましくは、該Ｔが１より大きい場合、該Ｔ個の時間位置のうちの少なくとも２つの時間位置が連続したものである。例えば、図７の第２行〜第４行に示される。
【０１３９】
例えば、ページングを例として、対応するすべての実際に伝送されたＳＳＢのｐａｇｉｎｇの送信が完了するまで、確定されたＰＯの開始時刻からｐａｇｉｎｇメッセージの時間長に応じてそれぞれＰＯ内の各ｓｌｏｔ内においてＭ番目のシンボルの開始位置から連続して配列されるＫ回のページングメッセージの伝送を行う。Ｍが１、２、３であってもよく、Ｋ＝１−３である。
【０１４０】
好ましくは、同じスロットにおいて、該少なくとも２つの連続した時間位置と隣接する該少なくとも２つの連続した時間位置とが少なくとも１つのシンボルの間隔を置いている。例えば、図７の第２行〜第４行に示される。
【０１４１】
他の実現方式では、前記Ｎ個の第１時間位置のうちのＫ個の第１時間位置と同期信号ブロックの第２時間位置とは時間的に少なくとも一部が重なっており、前記Ｋが１以上の整数であり、前記第２時間位置が前記同期信号ブロックの実際の送信時間位置又は候補時間位置である。
【０１４２】
好ましくは、前記Ｋ個の第１時間位置のうちの単独の第１時間位置は、多くとも１つの前記第２時間位置と時間的に少なくとも一部が重なっている。
【０１４３】
該実現方式では、異なる第２時間位置が異なる設定パラメータのビームによって送信される場合、単独の第１時間位置は少なくとも１つの第２時間位置と時間的に少なくとも一部が重なっており、１つの時間位置でページングを行い又はブロードキャストメッセージを送信するとき、ビームに対して設定パラメータの変更を行うことを回避することができる。
【０１４４】
好ましくは、１つの前記第２時間位置の占用するシンボル数が１つの前記第１時間位置の占用するシンボル数のＬ倍である場合、前記Ｎ個の第１時間位置の占用するシンボルが全部前記第２時間位置の占用するシンボルに属し、前記Ｌが１以上の整数である。
【０１４５】
該実現方式では、ネットワーク装置はどの第２時間位置を第１時間位置として同時にページング又はブロードキャストメッセージの送信を行うかを示してもよい。ビットマッピング方式で示してもよい。第２時間位置の数もＮであると仮定する場合、Ｎ＊Ｌ個のビットで第２時間位置のどのシンボルが第１時間位置とされるかを示してもよい。
【０１４６】
理解すべきこととして、Ｎ個の第２時間位置のどのシンボルが第１時間位置とされるかを予め設定してもよい。例えば、Ｎ＊Ｌ個のうちのＮ個の位置、例えば上位Ｎ個、下位Ｎ個又はいずれかＮ個を第１時間位置として予め設定してもよい。
【０１４７】
例えば、図８に示すように、各利用可能なＳＳＢの候補位置には４つのＳＳＢ利用可能なシンボルがある場合、ページングメッセージが４つのシンボルによって伝送されるとき、１つのスロット内のＳＳＢ分布パターンにおけるＳＳＢ位置での４つのシンボルを多重化してもよい。ページングメッセージが４つのシンボルによって伝送されるとき、前記パターンにおける利用可能な１組の前記４つのシンボルを多重化してもよく、ページングメッセージが２つのシンボルによって伝送されるとき、２回のページングメッセージの伝送が前記パターンにおける利用可能な１組の前記４つのシンボルを多重化してもよい。
【０１４８】
好ましくは、同じパラメータで設定されたビームを用いて、前記第１時間位置と前記第２時間位置との重なり部分で前記端末装置へページングを行い又はブロードキャストメッセージを送信し、前記同期信号ブロックを送信する。
【０１４９】
好ましくは、同じパラメータで設定されたビームを用いて、それぞれ時間的に重なっている前記第１時間位置及び前記第２時間位置で前記端末装置へページングを行い又はブロードキャストメッセージを送信し、前記同期信号ブロックを送信する。
【０１５０】
好ましくは、前記第１時間位置がページングを行うためのものである場合、ネットワーク装置が前記同期信号ブロックの対応するＲＭＳＩ又はＯＳＩ又はオンデマンドシステム情報、又はＲＲＣ専用シグナリングで前記第１時間位置を示し、前記端末装置が前記同期信号ブロックの対応するＲＭＳＩ又はＯＳＩ又はオンデマンドシステム情報、又はＲＲＣ専用シグナリングの指示に基づき、前記第１時間位置を確定する。
【０１５１】
好ましくは、前記第１時間位置がブロードキャストメッセージを送信するためのものである場合、ネットワーク装置が前記同期信号ブロックの対応するＲＭＳＩ又はＯＳＩ又はオンデマンドシステム情報で前記第１時間位置を示し、前記端末装置が前記同期信号ブロックの対応するＲＭＳＩ又はＯＳＩ又はオンデマンドシステム情報に基づいて前記第１時間位置を確定する。
【０１５２】
従って、本願の実施例の方法によれば、特定の周波数点においてページングを行い又はブロードキャストメッセージを送信するＮ個の第１時間位置を確定し、ＮＲシステムにおけるページングメッセージ又はブロードキャストメッセージの送信を実現することができる。
【０１５３】
図９は本願の実施例に係るネットワーク装置３００のブロック図である。図９に示すように、該ネットワーク装置３００は処理ユニット３１０及び通信ユニット３２０を備え、
前記処理ユニット３１０は特定の周波数点において端末装置へページングを行い又はブロードキャストメッセージを送信するために占用する必要があるＮ個の第１時間位置を確定するように構成され、前記Ｎが１以上の整数であり、
前記通信ユニット３２０は前記特定の周波数点において、前記Ｎ個の第１時間位置で前記端末装置へページングを行い又はブロードキャストメッセージを送信するように構成される。
【０１５４】
理解すべきこととして、該ネットワーク装置３００は方法実施例におけるネットワーク装置に対応してもよく、方法実施例におけるネットワーク装置の実現する対応操作を実現することができ、簡潔のため、ここで詳細な説明は省略する。
【０１５５】
図１０は本願の実施例に係る端末装置４００のブロック図である。図１０に示すように、該端末装置４００は処理ユニット４１０及び通信ユニット４２０を備え、
前記処理ユニット４１０はネットワーク装置が特定の周波数点において前記端末装置へページングを行い又はブロードキャストメッセージを送信する際に占用するＮ個の第１時間位置を確定するように構成され、前記Ｎが１以上の整数であり、
前記通信ユニット４２０は前記特定の周波数点において、前記Ｎ個の第１時間位置で前記ネットワーク装置により行うページング又は送信するブロードキャストメッセージを監視するように構成される。
【０１５６】
理解すべきこととして、該端末装置４００は方法実施例における端末装置に対応してもよく、方法実施例における端末装置の実現する対応操作を実現することができ、簡潔のため、ここで詳細な説明は省略する。
【０１５７】
図１１は本願の実施例のシステムチップ６００の構造模式図である。図１１のシステムチップ６００は入力インターフェース６０１、出力インターフェース６０２、前記プロセッサ６０３及びメモリ６０４を備え、それらが内部通信接続回路によって接続されてもよく、前記プロセッサ６０３は前記メモリ６０４におけるコードを実行するように構成される。
【０１５８】
好ましくは、前記コードが実行されるとき、前記プロセッサ６０３は方法実施例におけるネットワーク装置の実行する方法を実現する。簡潔のため、ここで詳細な説明は省略する。
【０１５９】
好ましくは、前記コードが実行されるとき、前記プロセッサ６０３は方法実施例における端末装置の実行する方法を実現する。簡潔のため、ここで詳細な説明は省略する。
【０１６０】
図１２は本願の実施例に係る通信装置７００のブロック図である。図１２に示すように、該通信装置７００はプロセッサ７１０及びメモリ７２０を備える。該メモリ７２０にプログラムコードが記憶されてもよく、該プロセッサ７１０は該メモリ７２０に記憶されるプログラムコードを実行することができる。
【０１６１】
好ましくは、図１２に示すように、該通信装置７００は送受信機７３０を備えてもよく、プロセッサ７１０は送受信機７３０が外部と通信するように制御することができる。
【０１６２】
好ましくは、該プロセッサ７１０はメモリ７２０に記憶されるプログラムコードを呼び出して、方法実施例におけるネットワーク装置の対応操作を実行することができ、簡潔のため、ここで詳細な説明は省略する。
【０１６３】
好ましくは、該プロセッサ７１０はメモリ７２０に記憶されるプログラムコードを呼び出して、方法実施例における端末装置の対応操作を実行することができ、簡潔のため、ここで詳細な説明は省略する。
【０１６４】
理解すべきこととして、本願の実施例のプロセッサは信号処理機能を有する集積回路チップでありうる。実現過程において、上記方法実施例の各ステップはプロセッサにおけるハードウェアの集積論理回路又はソフトウェア形式の命令で行われてもよい。上記プロセッサは汎用プロセッサ、デジタルシグナルプロセッサ（ＤＳＰ：Ｄｉｇｉｔａｌ  Ｓｉｇｎａｌ  Ｐｒｏｃｅｓｓｏｒ）、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）又は他のプログラマブルロジックデバイス、個別ゲート又はトランジスタロジックデバイス、個別ハードウェアコンポーネント等であってもよい。本願の実施例に開示される各方法、ステップ及び論理ブロックを実現又は実行することができる。汎用プロセッサはマイクロプロセッサであってもよく、又は該プロセッサはいかなる通常のプロセッサ等であってもよい。本願の実施例に開示される方法のステップはハードウェア復号プロセッサで実行して完成し、又は復号プロセッサにおけるハードウェア及びソフトウェアモジュールの組み合わせで実行して完成するように直接具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリに位置し、プロセッサはメモリにおける情報を読み取り、そのハードウェアと組み合わせて上記方法のステップを行う。
【０１６５】
理解されるように、本願の実施例では、メモリは揮発性メモリであっても、又は不揮発性メモリであってもよく、又は、揮発性メモリ及び不揮発性メモリの両方を含んでもよい。不揮発性メモリは読み出し専用メモリ（ＲＯＭ：Ｒｅａｄ−Ｏｎｌｙ  Ｍｅｍｏｒｙ）、プログラム可能読み出し専用メモリ（ＰＲＯＭ：Ｐｒｏｇｒａｍｍａｂｌｅ  ＲＯＭ）、消去可能プログラム可能読み出し専用メモリ（ＥＰＲＯＭ：Ｅｒａｓａｂｌｅ  ＰＲＯＭ）、電気的消去可能プログラム可能読み出し専用メモリ（ＥＥＰＲＯＭ：Ｅｌｅｃｔｒｉｃａｌｌｙ  ＥＰＲＯＭ）又はフラッシュメモリであってもよい。揮発性メモリは外部キャッシュメモリとして使用されるランダムアクセスメモリ（ＲＡＭ：Ｒａｎｄｏｍ  Ａｃｃｅｓｓ  Ｍｅｍｏｒｙ）であってもよい。例示的な説明であって制限的ではないが、多くの形式のＲＡＭ、例えばスタティックランダムアクセスメモリ（ＳＲＡＭ：Ｓｔａｔｉｃ  ＲＡＭ）、ダイナミックランダムアクセスメモリ（ＤＲＡＭ：Ｄｙｎａｍｉｃ  ＲＡＭ）、シンクロナスダイナミックランダムアクセスメモリ（ＳＤＲＡＭ：Ｓｙｎｃｈｒｏｎｏｕｓ  ＤＲＡＭ）、ダブルデータレートシンクロナスダイナミックランダムアクセスメモリ（ＤＤＲ  ＳＤＲＡＭ：Ｄｏｕｂｌｅ  Ｄａｔａ  Ｒａｔｅ  ＳＤＲＡＭ）、拡張型シンクロナスダイナミックランダムアクセスメモリ（ＥＳＤＲＡＭ：Ｅｎｈａｎｃｅｄ  ＳＤＲＡＭ）、シンクリンクダイナミックランダムアクセスメモリ（ＳＬＤＲＡＭ：Ｓｙｎｃｈｌｉｎｋ  ＤＲＡＭ）及びダイレクトラムバスランダムアクセスメモリ（ＤＲ  ＲＡＭ：Ｄｉｒｅｃｔ  Ｒａｍｂｕｓ  ＲＡＭ）が利用可能である。注意すべきこととして、本明細書に説明されるシステム及び方法のメモリはこれらのメモリ及び任意の他の適切なタイプのメモリを含んでもよいが、それらに限らないように意図されるものである。
【０１６６】
当業者であれば意識できるように、本明細書に開示される実施例を参照して説明した各例示的なユニット及びアルゴリズムステップは、電子ハードウェア、又はコンピュータソフトウェア及び電子ハードウェアの組み合わせで実現できる。これらの機能をハードウェアそれともソフトウェア方式で実行するかは、技術案の特定応用及び設計制約条件によって決定される。当業者は各特定応用に対して異なる方法でここの説明される機能を実現することができるが、このような実現は本願の範囲を超えるものと見なされるべきではない。
【０１６７】
当業者であれば明確に理解できるように、説明を容易且つ簡単にするために、上記説明されるシステム、装置及びユニットの具体的な動作過程は、前述の方法実施例における対応過程を参照してもよく、ここで詳細な説明は省略する。
【０１６８】
本願に係るいくつかの実施例では、理解すべきこととして、開示されるシステム、装置及び方法は他の方式で実現されてもよい。例えば、以上に説明される装置実施例は模式的なものに過ぎず、例えば、前記ユニットの区分は論理機能上の区分に過ぎず、実際に実現するとき、他の区分方式があってもよく、例えば複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインターフェース、装置又はユニットによる間接結合又は通信接続であってもよく、電気、機械又は他の形式であってもよい。
【０１６９】
分離部材として説明される前記ユニットは物理的に分離してもよいし、物理的に分離しなくてもよく、ユニットとして表示される部材は物理ユニットであってもよいし、物理ユニットでなくてもよく、つまり、一箇所に位置してもよいし、複数のネットワークユニットに配置されてもよい。実際の必要に応じて、その一部又は全部のユニットを選択して本実施例案の目的を実現してもよい。
【０１７０】
また、本願の各実施例では、各機能ユニットは１つの処理ユニットに統合されてもよく、各ユニットは独立して物理的に存在してもよく、２つ又は２つ以上のユニットは１つのユニットに統合されてもよい。
【０１７１】
前記機能はソフトウェア機能ユニットの形式で実現され、独立した製品として販売又は使用されるときは、１つのコンピュータ可読記憶媒体に記憶されてもよい。このような理解に基づき、本願の技術案の本質又は従来技術に貢献する部分、又は該技術案の一部はソフトウェア製品の形式で具現されてもよく、該コンピュータソフトウェア製品は、１台のコンピュータ装置（パーソナルコンピュータ、サーバ又はネットワーク装置等）に本願の各実施例に記載の方法の全部又は一部のステップを実行させるための若干の命令を含む１つの記憶媒体に記憶される。そして、上記記憶媒体はＵＳＢメモリ、ポータブルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる様々な媒体を含む。
【０１７２】
以上の説明は本願の具体的な実施形態であって、本願の保護範囲を制限するためのものではなく、当業者が本願に開示される技術的範囲内に容易に想到し得る変更や置換は、いずれも本願の保護範囲内に含まれるべきである。従って、本願の保護範囲は特許請求の範囲に準じるべきである。
【図１】
2021509796.tif 000003
【図２】
2021509796.tif 000004
【図３】
2021509796.tif 000005
【図４】
2021509796.tif 000006
【図５】
2021509796.tif 000007
【図６】
2021509796.tif 000008
【図７】
2021509796.tif 000009
【図８】
2021509796.tif 000010
【図９】
2021509796.tif 000011
【図１０】
2021509796.tif 000012
【図１１】
2021509796.tif 000013
【図１２】
2021509796.tif 000014
【手続補正書】
【提出日】令和2年10月16日(2020.10.16)
【手続補正１】
【補正対象書類名】特許請求の範囲
【補正対象項目名】全文
【補正方法】変更
【補正の内容】
【特許請求の範囲】
【請求項１】
無線通信方法であって、
ネットワーク装置が、特定の周波数点において端末装置へページングを行い又はブロードキャストメッセージを送信するために使用する必要があるＮ個の第１時間位置を確定し、前記特定の周波数点が、端末装置と通信を行う周波数点であり、前記Ｎが１以上の整数であることと、
前記ネットワーク装置が、前記特定の周波数点において、前記Ｎ個の第１時間位置で前記端末装置へページングを行い又はブロードキャストメッセージを送信することと、を含むことを特徴とする、前記無線通信方法。
【請求項２】
前記第１時間位置がページングを行うためのものである場合、前記Ｎ個の第１時間位置のうちの各第１時間位置で、それぞれ前記端末装置へページングを行うためのＰＤＣＣＨを送信することを特徴とする
請求項１に記載の方法。
【請求項３】
前記ネットワーク装置が特定の周波数点において端末装置へページングを行い又はブロードキャストメッセージを送信するために占用する必要があるＮ個の第１時間位置を確定することは、
特定の周波数点における同期信号ブロックの実際の送信時間位置に基づき、前記Ｎ個の第１時間位置を確定することを含む、ことを特徴とする
請求項１又は２に記載の方法。
【請求項４】
前記Ｎ個の第１時間位置を確定することは、
第１パターンで示される信号送信のための時間位置の数、信号送信のための時間位置の占用する時間長及び信号送信のための時間位置の並び関係のうちの少なくとも１つに基づき、前記Ｎ個の第１時間位置を確定することを含み、前記第１パターンが第２パターンと同じであり、前記第２パターンが、特定の周波数点における同期信号ブロックの実際の送信時間位置を示すことに用いられることを特徴とする
請求項３に記載の方法。
【請求項５】
無線通信方法であって、
端末装置が、ネットワーク装置が特定の周波数点において前記端末装置へページングを行い又はブロードキャストメッセージを送信する際に使用するＮ個の第１時間位置を確定し、前記特定の周波数点が、端末装置と通信を行う周波数点であり、前記Ｎが１以上の整数であることと、
前記端末装置が、前記特定の周波数点において、前記Ｎ個の第１時間位置で前記ネットワーク装置により行うページング又は送信するブロードキャストメッセージを監視することと、を含むことを特徴とする、前記無線通信方法。
【請求項６】
前記第１時間位置がページングを行うためのものである場合、前記Ｎ個の第１時間位置のうちの各第１時間位置で、それぞれ前記端末装置へページングを行うためのＰＤＣＣＨを送信することを特徴とする
請求項５に記載の方法。
【請求項７】
前記端末装置が、ネットワーク装置が特定の周波数点において前記端末装置へページングを行い又はブロードキャストメッセージを送信する際に占用するＮ個の第１時間位置を確定することは、
特定の周波数点における同期信号ブロックの実際の送信時間位置に基づき、前記Ｎ個の第１時間位置を確定することを含む、ことを特徴とする
請求項５又は６に記載の方法。
【請求項８】
前記Ｎ個の第１時間位置を確定することは、
第１パターンで示される信号送信のための時間位置の数、信号送信のための時間位置の占用する時間長及び信号送信のための時間位置の並び関係のうちの少なくとも１つに基づき、前記Ｎ個の第１時間位置を確定することを含み、前記第１パターンが第２パターンと同じであり、前記第２パターンが、特定の周波数点における同期信号ブロックの実際の送信時間位置を示すことに用いられることを特徴とする
請求項７に記載の方法。
【請求項９】
前記Ｎ個の第１時間位置が、同期信号ブロックの実際の送信時間位置に基づき、確定されることを特徴とする
請求項５又は６に記載の方法。
【請求項１０】
前記第１時間位置がページングを行うためのものである場合、前記方法は、更に、
前記同期信号ブロックの対応するＲＭＳＩ又はＯＳＩ又はオンデマンドシステム情報、又はＲＲＣ専用シグナリングの指示に基づき、前記第１時間位置を確定することを含むことを特徴とする
請求項７〜９のいずれか１項に記載の方法。
【請求項１１】
ネットワーク装置であって、
特定の周波数点において端末装置へページングを行い又はブロードキャストメッセージを送信するために使用する必要があるＮ個の第１時間位置を確定するように構成され、前記特定の周波数点が、端末装置と通信を行う周波数点であり、前記Ｎが１以上の整数である処理ユニットと、
前記特定の周波数点において、前記Ｎ個の第１時間位置で前記端末装置へページングを行い又はブロードキャストメッセージを送信するように構成される通信ユニットと、を備えることを特徴とする、前記ネットワーク装置。
【請求項１２】
前記Ｎ個の第１時間位置が、同期信号ブロックの実際の送信時間位置に基づき、確定されることを特徴とする
請求項１１に記載の装置。
【請求項１３】
前記Ｎ個の第１時間位置が、予め合意されたＮ個の第２時間位置と前記Ｎ個の第１時間位置との関係に基づき、確定され、Ｎ個の前記第２時間位置が前記同期信号ブロックの候補時間位置又は実際の送信時間位置であることを特徴とする
請求項１２に記載の装置。
【請求項１４】
前記通信ユニットは、更に、
前記第１時間位置がページングを行うためのものである場合、前記同期信号ブロックの対応するＲＭＳＩ又はＯＳＩ又はオンデマンドシステム情報、又はＲＲＣ専用シグナリングで前記第１時間位置を示すように構成されることを特徴とする
請求項１２又は１３に記載の装置。
【請求項１５】
端末装置であって、
ネットワーク装置が特定の周波数点において前記端末装置へページングを行い又はブロードキャストメッセージを送信する際に使用するＮ個の第１時間位置を確定するように構成され、前記特定の周波数点が、端末装置と通信を行う周波数点であり、前記Ｎが１以上の整数である処理ユニットと、
前記特定の周波数点において、前記Ｎ個の第１時間位置で前記ネットワーク装置により行うページング又は送信するブロードキャストメッセージを監視するように構成される通信ユニットと、を備えることを特徴とする、前記端末装置。
【請求項１６】
前記第１時間位置がページングを行うためのものである場合、前記Ｎ個の第１時間位置のうちの各第１時間位置で、それぞれ前記端末装置へページングを行うためのＰＤＣＣＨを送信することを特徴とする
請求項１５に記載の装置。
【請求項１７】
前記処理ユニットは、更に、
特定の周波数点における同期信号ブロックの実際の送信時間位置に基づき、前記Ｎ個の第１時間位置を確定するように構成される、ことを特徴とする
請求項１５又は１６に記載の装置。
【請求項１８】
前記処理ユニットは、更に、
第１パターンで示される信号送信のための時間位置の数、信号送信のための時間位置の占用する時間長及び信号送信のための時間位置の並び関係のうちの少なくとも１つに基づき、前記Ｎ個の第１時間位置を確定するように構成され、前記第１パターンが第２パターンと同じであり、前記第２パターンが、特定の周波数点における同期信号ブロックの実際の送信時間位置を示すことに用いられることを特徴とする
請求項１７に記載の装置。
【請求項１９】
前記Ｎ個の第１時間位置が、同期信号ブロックの実際の送信時間位置に基づき、確定されることを特徴とする
請求項１５〜１７のいずれか１項に記載の装置。
【請求項２０】
前記Ｎ個の第１時間位置が、予め合意されたＮ個の第２時間位置と前記Ｎ個の第１時間位置との関係に基づき、確定され、Ｎ個の前記第２時間位置が前記同期信号ブロックの候補時間位置又は実際の送信時間位置であることを特徴とする
請求項１９に記載の装置。
【国際調査報告】
2021509796.tif 000015
2021509796.tif 000016
2021509796.tif 000017
2021509796.tif 000018